(57)【特許請求の範囲】
【請求項１】
プラテンローラおよび印字ヘッドで印字された用紙を裁断する手切り裁断装置を備えたプリンタにおいて、
前記裁断装置は、
前記印字ヘッドの先端に固設し、印字された用紙を切断する切断刃と、
前記切断刃の用紙搬送方向下流に位置し前記印字ヘッドの先端に添設され、下端が開口されたケーシングと、
前記ケーシングの内部にガイド部材を上下方向に摺動自在に設けるとともに、下端に用紙の搬送方向に対して回転自在なローラを設けたガイド部材と、
前記ガイド部材に用紙搬送域に突出する方向に付勢するスプリングを設けて、前記ローラを前記切断刃の下端より前記用紙搬送域に突出していることを特徴とするプリンタ。
【発明の詳細な説明】
【０００１】
【発明の属する技術分野】
本発明はプリンタに関するもので、詳しくは、印字された用紙を手によって裁断する手切り裁断装置を備えたプリンタに関するものである。
【０００２】
【従来の技術】
ロール状に巻回された用紙を使用するプリンタでは、用紙ロールから印字部のプラテンローラによって用紙を引出し、印字ヘッドによってその用紙に印字を施し、その印字された用紙を用紙裁断装置で裁断している。
【０００３】
【発明が解決しようとする課題】
ところで、用紙裁断装置として、手切り裁断装置を備えたプリンタでは、該裁断装置が印字ヘッドから離れて設置されているため、その間に印字されない余白部分（非印字部分）が生じてしまう。
【０００４】
本発明はかかる事情に鑑みてなされたもので、用紙の非印字部分を可及的に少なくしたプリンタを提供することを目的としている。
【０００５】
【課題を解決するための手段】
本発明は前記目的を達成するために、本発明に係る請求項１のプリンタでは、プラテンローラおよび印字ヘッドで印字された用紙を裁断する手切り裁断装置を備えたプリンタにおいて、前記裁断装置は、前記印字ヘッドの先端に固設し、印字された用紙を切断する切断刃と、前記切断刃の用紙搬送方向下流に位置し前記印字ヘッドの先端に添設され、下端が開口されたケーシングと、前記ケーシングの内部にガイド部材を上下方向に摺動自在に設けるとともに、下端に用紙の搬送方向に対して回転自在なローラを設けたガイド部材と、前記ガイド部材に用紙搬送域に突出する方向に付勢するスプリングを設けて、前記ローラを前記切断刃の下端より前記用紙搬送域に突出している。
【０００６】
この発明のプリンタによれば、非印字部分は切断刃と印字ヘッドの印字素子との間の距離、即ち印字ヘッドの先端から印字素子までの間となり、殆ど無駄な部分が無くなる。
【０００７】
また、本発明に係る請求項２のプリンタでは、請求項１の発明において、前記切断刃の用紙搬送方向下流に、該切断刃の先端に対して用紙搬送域に出没自在にガイド部材を配設するとともに、該ガイド部材を前記用紙搬送域に突出する方向に付勢させている。
【０００８】
この発明のプリンタによれば、印字された用紙は、ガイド部材によって切断刃を避けて案内され、切断刃による紙詰まりの虞はない。
【０００９】
本発明に係る請求項３のプリンタでは、請求項２の発明において、前記ガイド部材の先端に、用紙の搬送方向に対して回転自在にローラを配設している。
【００１０】
この発明によれば、ローラによって用紙がよりスムーズに案内される。
【００１１】
【発明の実施の形態】
以下添付図面に従って本発明に係るプリンタの好ましい実施の形態について説明する。
【００１２】
本発明のプリンタでは、台紙としての剥離紙にラベルを仮着したラベル連続体と、剥離紙を有しない、所謂、台紙なしラベル連続体との両方に対応させているが、図１では台紙なしラベル連続体を使用するラベルプリンタを示している。また、このプリンタは自動裁断装置および手切り裁断装置を備えている。
【００１３】
即ち、台紙なしラベル連続体を使用する場合に、自動裁断装置を使用すると、ラベルの裏面に塗布されている粘着剤が切断刃に付着し、それによって紙詰まりを生じる虞があるため、台紙なしラベル連続体を使用する場合には、手切り裁断装置を使用する必要がある。
【００１４】
図１に示したプリンタ１０では、台紙なしラベル連続体１１を巻回したラベルロール（用紙ロールに相当する）１２からプラテンローラ１３によって台紙なしラベル連続体１１を引出し、印字ヘッド１４によってその引出した台紙なしラベル連続体１１に印字を施し、印字された台紙なしラベル連続体１１を自動裁断装置１５または手切り裁断装置１６の何れかを経て、外部へ排出させる。
【００１５】
このプリンタ１０では、印字ヘッド１４のラベル搬送方向下流に、台紙なしラベル連続体１１を自動裁断装置１５を経て用紙排出口１７から外部へ排出する第１の用紙搬送路１８と、台紙なしラベル連続体１１を自動裁断装置１５を経ることなく用紙排出口１９から外部へ排出する第２の用紙搬送路２０とを有し、さらに、第１の用紙搬送路１８と第２の用紙搬送路２０の入口に、用紙搬送路１８，２０の何れか一方を選択する進路選択装置２１を備えている。
【００１６】
自動裁断装置１５は、可動刃２２ａと固定刃２２ｂとを備え、印字終了信号または台紙なしラベル連続体１１に記されたマークをセンサで読み取り、その検出信号等に基づいて可動刃２２ａを作動させて台紙なしラベル連続体１１を裁断する。
【００１７】
手切り裁断装置１６は、図２に示したように、印字ヘッド１４の先端に固定設置された板状の切断刃２３を備えている。この切断刃２３は、印字ヘッド１４の幅とほぼ同じ幅を有し、下端に鋸刃状の刃を備えている。また、この手切り裁断装置１６は、切断刃２３の用紙搬送方向下流側の面に、ケーシング２４を添設させている。このケーシング２４は、下端が開口された箱状を成し、その内部にガイド部材２５を上下方向へ摺動自在に収容している。
【００１８】
このガイド部材２５は下端にローラ２６を備え、側面にピン２７を備えている。そして、そのピン２７はケーシング２４の側壁に形成した長孔２８に挿通されており、ガイド部材２５は、長孔２８によってピン２７の移動が規制され、その範囲で上下動される。
【００１９】
さらに、ガイド部材２５の上端面とケーシング２４の上壁との間にはスプリング２９が介装されており、該スプリング２９によってガイド部材２５は下方に付勢されている。
【００２０】
このように構成された手切り裁断装置１６では、図３に示したように、スプリング２９の付勢力によって、ガイド部材２５が付勢され、ローラ２６が切断刃２３の下端よりも用紙搬送域へ突出している。したがって、印字ヘッド１４で印字された台紙なしラベル連続体１１はガイド部材２５のローラ２６に案内され、切断刃２３に接触することなく用紙排出口１９へ搬送される。
【００２１】
印字が終了すると、印字された台紙なしラベル連続体１１の先端は用紙排出口１９から外部へ排出された状態になるが、その先端部を掴んで斜め上方に引っ張れば、図４に示したように、台紙なしラベル連続体１１によってガイド部材２５がスプリング２９の付勢力に抗して引き上げられ、ローラ２６が切断刃２３の先端よりも上方に位置され、その結果、切断刃２３の先端が露出されることになる。したがって、台紙なしラベル連続体１１は切断刃２３に食い込み、該切断刃２３によって裁断される。
【００２２】
このようにして、この手切り裁断装置１６によって裁断されたラベルの次に続く台紙なしラベル連続体１１の先端部の余白は、図４に示したように印字ヘッド１４の印字素子１４ａから切断刃２３までの範囲Ｌとなり、極めて少なくて済む。
【００２３】
図１に示した進路選択装置２１は、ガイドプレート３０の印字ヘッド側端を軸として他端を上下動させるように設置したもので、ガイドプレート３０を下動状態にすることによって、印字された台紙なしラベル連続体１１を第１の用紙搬送路１８へ案内し、そして該台紙なしラベル連続体１１を自動裁断装置１５を経て用紙排出口１７に導き、ガイドプレート３０を上動させることによって、印字された台紙なしラベル連続体１１を第２の用紙搬送路２０へ案内し、該台紙なしラベル連続体１１を用紙排出口１９に導く。
【００２４】
このガイドプレート３０の作動は、手動によって行なうようにしてもよく、使用される台紙なしラベル連続体１１が台紙を有するものであるか否かを検出して、自動的に切り換えるようにしてもよい。
【００２５】
なお、上記実施の形態では、ラベルプリンタ１０について説明したが、本発明のプリンタは、一般的な帯状用紙を使用するプリンタであってもよい。
【００２６】
また、上記実施の形態で示した手切り裁断装置１６のローラ２６は、該ローラ２６を通過する台紙なしラベル連続体１１の幅に対応させているが、台紙なしラベル連続体１１の部分を案内するようにしてもよい。また、ローラ２６に替えてガイド部材２５の下端を湾曲面に形成してもよい。
【００２７】
さらにまた、上記実施の形態では、ガイド部材２５を切断刃２３に沿って上下動自在に配設しているが、ガイド部材２５をその下端が用紙搬送域に沿って揺動するように配設し、かつ捩じりコイルスプリング等によってそのガイド部材２５を切断刃２３に添設状態に付勢しておき、用紙の裁断に際し、用紙によってガイド部材２５がスプリングの付勢力に抗して揺動され、それによってガイド部材２５下端が用紙搬送域から退避するように構成することもできる。
【００２８】
【発明の効果】
以上説明したように、本発明の請求項１のプリンタによれば、非印字部分は切断刃と印字ヘッドの印字素子との間の距離、即ち印字ヘッドの先端から印字素子までの間となり、殆ど無駄な部分が無くなる。
【００２９】
また、本発明に係る請求項２のプリンタによれば、印字された用紙は、ガイド部材によって切断刃を避けて案内され、切断刃による紙詰まりの虞はない。
【００３０】
本発明に係る請求項３のプリンタによれば、ローラによって用紙がよりスムーズに案内される。
【図面の簡単な説明】
【図１】本発明に係るプリンタの一実施の形態として、ラベルプリンタを示した構成図である。
【図２】図１に示したラベルプリンタの手切り裁断装置を示した斜視図であり、ケーシングを２点鎖線で示している。
【図３】図１に示したラベルプリンタの手切り裁断装置を概念的に示した要部断面図であり、用紙を印字している際の状態を示している。
【図４】図１に示したラベルプリンタの手切り裁断装置を概念的に示した要部断面図であり、用紙を裁断する際の状態を示している。
【符号の説明】
１０…プリンタ、１１…台紙なしラベル連続体、１２…ラベルロール（用紙ロール）、１３…プラテンローラ、１４…印字ヘッド、１４ａ…印字素子、１５…自動裁断装置、１６…手切り裁断装置、１７…用紙排出口、１８…第１の用紙搬送路、１９…用紙排出口、２０…第２の用紙搬送路、２１…進路選択装置、２２ａ…固定刃、２２ｂ…可動刃、２３…切断刃、２４…ケーシング、２５…ガイド部材、２６…ローラ、２７…ピン、２８…長孔、２９…スプリング、３０…ガイドプレート
【図１】
0004632559.tif 000002
【図２】
0004632559.tif 000003
【図３】
0004632559.tif 000004
【図４】
0004632559.tif 000005